【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
モバイルデバイス上でユーザを認証するための方法であって、
前記モバイルデバイスへのアクセスのために前記ユーザの認証を開始するステップであって、前記モバイルデバイスによる前記ユーザの認証が成功すると、前記モバイルデバイスへのアクセスが許可される、ステップと、
前記モバイルデバイスの第1のカメラから第1のビデオデータをキャプチャするステップであって、前記第1のビデオデータが前記ユーザの顔の少なくとも1つの画像をキャプチャする、ステップと、
前記モバイルデバイスの第2のカメラから第2のビデオデータをキャプチャするステップであって、前記第2のビデオデータが前記ユーザの異なる部分の少なくとも1つの画像をキャプチャする、ステップと、
前記ユーザの識別情報を判定するために前記ユーザの前記顔の前記画像に関する顔認識分析を実行するステップと、
前記第1のビデオデータからの前記ユーザの第1のパルス情報と、前記第2のビデオデータからの前記ユーザの第2のパルス情報とを判定するステップと、
前記第1のパルス情報および前記第2のパルス情報がパルスマッチングを示すかどうかを判定するステップと、
パルスマッチングが判定され、前記ユーザの前記判定された識別情報が前記モバイルデバイスにアクセスする許可を有するとき、前記モバイルデバイスへのアクセスのために前記ユーザを認証するステップと
を含む、方法。
【請求項２】
前記第1のパルス情報および前記第2のパルス情報の前記判定が、
キャプチャされたビデオデータからの前記ユーザの皮膚のトーンの時間的な変動を判定するステップと、
ある時間期間にわたって前記ユーザの前記皮膚のトーンの前記時間的な変動に基づいて前記ユーザのパルスを判定するステップと
を含む、請求項1に記載の方法。
【請求項３】
前記パルスマッチングは、前記第1のビデオデータから判定された皮膚のトーンの時間的な変動と、前記第2のビデオデータから判定された皮膚のトーンの時間的な変動との間に相関があるとき、前記第1のパルス情報および前記第2のパルス情報から判定される、請求項2に記載の方法。
【請求項４】
前記顔認識分析および前記第1のパルス情報が同時に判定される、請求項1に記載の方法。
【請求項５】
前記顔認識分析が、前記第1のパルス情報および前記第2のパルスの判定前に実行される、請求項1に記載の方法。
【請求項６】
前記顔認識分析および前記第1のパルス情報が、前記第1のビデオデータの共通セグメントから判定される、請求項1に記載の方法。
【請求項７】
前記第1のパルス情報および前記第2のパルス情報がパルスマッチングを示すかどうかを判定するステップが、
前記第1のパルス情報を前記第2のパルス情報と相互に関連付けるステップと、
前記相互に関連付けられた第1のパルス情報と第2のパルス情報とに基づいて前記パルスマッチングの尤度を判定するステップと、
前記判定された尤度をパルスマッチングしきい値と比較するステップと、
前記判定された尤度が前記パルスマッチングしきい値を超えるとき、前記第1のパルス情報が前記第2のパルス情報にマッチングすると判定するステップと
をさらに含む、請求項1に記載の方法。
【請求項８】
前記パルスマッチングの前記尤度を判定するために前記相互に関連付けられた第1のパルス情報および第2のパルス情報に関する回帰分析を実行するステップ
をさらに含む、請求項7に記載の方法。
【請求項９】
前記パルスマッチングしきい値が、前記第1のビデオデータおよび前記第2のビデオデータの前記キャプチャに関連する1つまたは複数の環境条件に基づいて調整される、請求項7に記載の方法。
【請求項１０】
前記第1のパルス情報を前記第2のパルス情報と相互に関連付けるステップが、
前記第1のパルス情報および前記第2のパルス情報が得られる前記ユーザの体の場所の差に関連するパルスタイミングの差を補償するために前記第2のパルス情報を時間的にシフトするステップ
をさらに含む、請求項7に記載の方法。
【請求項１１】
前記第1のカメラが前記モバイルデバイスの前向きカメラであり、前記第2のカメラが前記モバイルデバイスの後向きカメラである、請求項1に記載の方法。
【請求項１２】
プロセッサによって実行されるとき、前記プロセッサに、請求項1から11のいずれか一項に記載される、モバイルデバイス上でユーザを認証するための方法を実行させる命令を含むコンピュータ可読記憶媒体。
【請求項１３】
ユーザ認証を実行するモバイルデバイスであって、前記モバイルデバイスが、
前記モバイルデバイスへのアクセスのためにユーザの認証を開始するユーザ認証エンジンであって、前記モバイルデバイスによる前記ユーザの認証が成功すると、前記モバイルデバイスへのアクセスが許可される、ユーザ認証エンジンと、
要求に応答して第1のビデオデータをキャプチャするために前記ユーザ認証エンジンに通信可能に結合された第1のビデオカメラであって、前記第1のビデオデータが前記ユーザの顔の少なくとも1つの画像をキャプチャする、第1のビデオカメラと、
前記要求に応答して第2のビデオデータをキャプチャするために前記ユーザ認証エンジンに通信可能に結合された第2のビデオカメラであって、前記第2のビデオデータが前記ユーザの異なる部分の少なくとも1つの画像をキャプチャする、第2のビデオカメラと
を含み、
前記ユーザ認証エンジンが、
前記ユーザの識別情報を判定するために前記第1のビデオデータ内の前記ユーザの前記顔の前記画像に関する顔認識分析を実行する顔認識エンジンと、
前記第1のビデオデータからの前記ユーザの第1のパルス情報と、前記第2のビデオデータからの前記ユーザの第2のパルス情報とを判定するパルスレート推定器と、
前記第1のパルス情報および前記第2のパルス情報がパルスマッチングを示すかどうかを判定するパルス相関器と、
パルスマッチングが判定され、前記ユーザの前記判定された識別情報が前記モバイルデバイスにアクセスする許可を有するとき、前記モバイルデバイスへのアクセスのために前記ユーザを認証する認証決定エンジンと
を含む、モバイルデバイス。
【請求項１４】
モバイルデバイス上でユーザを認証するためのシステムであって、
前記モバイルデバイスへのアクセスのために前記ユーザの認証を開始するための手段であって、前記モバイルデバイスによる前記ユーザの認証が成功すると、前記モバイルデバイスへのアクセスが許可される、手段と、
前記モバイルデバイスの第1のカメラから第1のビデオデータをキャプチャするための手段であって、前記第1のビデオデータが前記ユーザの顔の少なくとも1つの画像をキャプチャする、手段と、
前記モバイルデバイスの第2のカメラから第2のビデオデータをキャプチャするための手段であって、前記第2のビデオデータが前記ユーザの異なる部分の少なくとも1つの画像をキャプチャする、手段と、
前記ユーザの識別情報を判定するために前記ユーザの前記顔の前記画像に関する顔認識分析を実行するための手段と、
前記第1のビデオデータからの前記ユーザの第1のパルス情報と、前記第2のビデオデータからの前記ユーザの第2のパルス情報とを判定するための手段と、
前記第1のパルス情報および前記第2のパルス情報がパルスマッチングを示すかどうかを判定するための手段と、
パルスマッチングが判定され、前記ユーザの前記判定された識別情報が前記モバイルデバイスにアクセスする許可を有するとき、前記モバイルデバイスへのアクセスのために前記ユーザを認証するための手段と
を含む、システム。
【請求項１５】
前記第1のパルス情報および前記第2のパルス情報がパルスマッチングを示すかどうかを判定するための前記手段が、
前記第1のパルス情報を前記第2のパルス情報と相互に関連付けるための手段と、
前記相互に関連付けられた第1のパルス情報と第2のパルス情報とに基づいて前記パルスマッチングの尤度を判定するための手段と、
前記判定された尤度をパルスマッチングしきい値と比較するための手段と、
前記判定された尤度が前記パルスマッチングしきい値を超えるとき、前記第1のパルス情報が前記第2のパルス情報にマッチングすると判定するための手段と
をさらに含む、請求項14に記載のシステム。